(57)【要約】【課題】一般家庭に於いても容易に密封作業を行うことが可能な包装容器を提供する。【解決手段】２枚のシートが重畳され又は１枚のシートを２つ折りにして重畳された重畳シートの周辺を溶着して袋状に形成された包装容器１において、重畳シートの上辺の一部分に沿って設けられた未溶着な開口部３と、重畳シート上辺の開口部３の領域及び重畳シート上辺の一角部を含む領域に設けられた、溶着領域を示す溶着マーク４とを備え、重畳シートは、少なくとも溶着マーク４が表示された領域の内側に、８０℃から２１０℃の加熱により熱溶着可能なシーラント層を備えた構成とした。これによりアイロン鏝を用いて溶着領域を溶着することができ、一般家庭に於いても容易に密封作業を行うことが可能となる。【選択図】図１
2014104996.tif 000002
【特許請求の範囲】
【請求項１】
２枚のシートが重畳され又は１枚のシートを２つ折りにして重畳された重畳シートの周辺を溶着して袋状に形成された包装容器であって、
前記重畳シートの上辺の全体又は一部分に沿って設けられた未溶着な開口部と、
前記重畳シート上辺の開口部の領域及び前記重畳シート上辺の少なくとも一角部を含む領域に設けられた、溶着領域を示す溶着マークと、を備え、
前記重畳シートは、少なくとも前記溶着マークが表示された領域の内側に、８０℃から２１０℃の加熱により熱溶着可能なシーラント層を備えていることを特徴とする包装容器。
【請求項２】
前記溶着マークは、アイロンマーク又はアイロンで加熱する部分であることが認識可能な文字、図形若しくはその組み合わせからなるマークを含むことを特徴とする請求項１記載の包装容器。
【請求項３】
前記溶着マークが表示された前記溶着領域は、前記重畳シート上辺の少なくとも一角部を含む部分領域であり、
前記重畳シート上辺の前記溶着領域とは逆側の隅部を突出させて形成された注出部と、
前記注出部の側辺側にノッチ状に形成された第１の切込部と、を備え、
前記開口部及び前記溶着マークは、前記重畳シート上辺に沿った前記注出部以外の部分領域に設けられていることを特徴とする請求項１又は２記載の包装容器。
【請求項４】
前記重畳シート上辺の前記注出部と反対側の隅部を突出させて形状された取手部と、
前記重畳シートの前記取手部側の側辺の上部にノッチ状に形成された第２の切込部と、
を備えたことを特徴とする請求項３記載の包装容器。
【請求項５】
前記重畳シートは透明な前記樹脂製シートにより形成されており、
前記重畳シートの表面に、容器下部から液体を満たした場合の内容量を示す目盛りが附されていることを特徴とする１乃至４の何れか一記載の包装容器。
【発明の詳細な説明】
【技術分野】
【０００１】
本発明は、未発泡性飲料、飲料、食品、その他の物を密封するための包装容器に関し、特に、一般家庭においても簡便に密封作業を行い得る包装容器に関する。
【背景技術】
【０００２】
未発泡性飲料、食品、その他の物を密封保管するための包装容器として、内側にポリプロピレン等のシーリング層、外側にポリエステル等の合成樹脂やアルミ箔等の保護層を積層加工（ラミネート加工）したフィルムを重畳し周囲を溶着して袋状に形成したパウチ（pouch）が広く使用されている。一般に、パウチは、被密封物を入れた後に熱溶着機を用いて密封される。
【０００３】
例えば、特許文献１には、「注出口と別に充填口を備えた注出口付き容器」が記載されている（特許文献１の図１〜図３参照）。この容器は、容器本体１０１が素材シートを貼り合わせて構成されており、その材質としてプラスチックシート等が使用されている。容器の上部一隅部に中空の注出ノズル１０６が取り付けられた注出口１０５が形成されており、注出ノズル１０６の先端にはキャップ１０７が設けられている。また、容器の上端の水平部分には充填口１０４が開口形成され、充填口１０４には筒状の把手１１０が取り付けられている。この容器に内容物を充填する場合、まず容器本体１０１上端の水平部分の両端を掴んで内側に押し込み充填口１０４と筒状の把手１１０を開口させて内容物を充填する（特許文献１の図２（ロ）（ハ）参照）。そして、充填口１０４と把手１１０の繋ぎ目の部分をハンディシーラなどの熱溶着機（例えば、特許文献２参照）によって加熱溶着し密封する（特許文献１の図２（ニ）参照）。
【先行技術文献】
【特許文献】
【０００４】
【特許文献１】特開平１０−２３６４９０号公報
【特許文献２】特開２００６−２９８４９０号公報
【発明の概要】
【発明が解決しようとする課題】
【０００５】
上述の通り、一般家庭において特許文献１に記載されたようなパウチの密封を行うためには、ハンディシーラなどの熱溶着機（例えば、特許文献２参照）を購入する必要があった。しかし、通常の家庭では熱溶着機を所有しているケースは少ないため、パウチのみを購入しても、すぐに密封容器として使用することができないケースが少なくないと考えられる。
【０００６】
そこで、本発明の目的は、一般家庭に於いても容易に密封作業を行うことが可能な包装容器を提供することにある。
【課題を解決するための手段】
【０００７】
本発明に係る包装容器の第１の構成は、２枚のシートが重畳され又は１枚のシートを２つ折りにして重畳された重畳シートの周辺を溶着して袋状に形成された包装容器であって、前記重畳シートの上辺の全体又は一部分に沿って設けられた未溶着な開口部と、前記重畳シート上辺の開口部の領域及び前記重畳シート上辺の少なくとも一角部を含む領域に設けられた、溶着領域を示す溶着マークと、を備え、前記重畳シートは、少なくとも前記溶着マークが表示された領域の内側に、８０℃から２１０℃の加熱により熱溶着可能なシーラント層を備えていることを特徴とする。
【０００８】
この構成によれば、重畳シートは、溶着マークが表示された領域の内側に、８０℃から２１０℃の加熱により熱溶着可能なシーラント層を備えているため、溶着マークが表示された領域を家庭用のアイロンによって加熱することで、一般家庭に於いて包装容器を容易に溶着密封することができる。従って、まず、包装容器内に包装したい物（例えば、未発泡性飲料用の液体や食品等。以下「被包装物」と呼ぶ。）を入れ、その後、包装容器上辺の溶着マークの部分に加熱したアイロン鏝を押し当てて溶着密封させることにより、一般家庭で被包装物の密封が可能となる。
【０００９】
ここで、「重畳シート」の素材としては、具体的には、ポリエチレン樹脂、ポリプロピレン樹脂、ポリスチレン樹脂、ポリエステル樹脂、ポリ塩化ビニル樹脂、ナイロン樹脂などの樹脂製シートや樹脂製シートの表面にアルミなどの金属を蒸着させた金属蒸着シートなどを使用することができる。
【００１０】
「溶着マーク」としては、溶着領域を線又は点線で囲み溶着領域であることを表示したマーク、溶着領域を着色し又は模様をつけて溶着領域であることを表示したマークなどを用いることができる。必ずしも溶着領域である旨の文字表示は必要なく、使用者が溶着領域であることを認識可能なマークであればよい。
【００１１】
尚、本発明においては、シーラント層の溶着可能温度は、被包装物の加熱温度に応じて、８０℃から２１０℃の範囲で適宜設定することができる。例えば、一般家庭での被包装物の調理加熱最高温度１００℃より、シーラント層の溶融温度を１５℃以上高めの１１５℃以上に加熱しなければ溶融しない構成にし、溶着マークに「アイロンマーク」（JIS L 0217）の「低温」（８０℃〜１２０℃）を使用することができる。アイロン本体は、低温の切り替えスイッチで加熱したアイロン鏝を押し当てて溶着密封させるようにする。また、シーラント層が１１５℃以上に加熱しなければ溶融しない構成としたことで、油性を多く含まない被包装物を密封した後、加熱により容器内が１００℃前後で液体が沸騰して容器が膨張したとしても、シーラント層が剥がれ蒸気が射出して破裂するということがないため、電子レンジで安全に加熱することができる。また、未発泡性飲料用の液体や、水分量が多く袋内面と密着度の高い食品を、８０℃〜１００℃で調理加熱して容器に直ちに入れて密封し、さらに、被包装物を密封後の包装容器を熱湯で加熱することで、一般家庭に於いて密封滅菌処理を容易に行うことができる。
【００１２】
また、溶着領域は、重畳シート上辺に沿って設けられ、かつ重畳シート上辺の少なくとも一角部を含むため、鏝幅の広いアイロン鏝でも十分容易に溶着作業を行うことができる。本発明ではシーラント層の溶着温度は、家庭用アイロンで溶着可能な８０℃から２１０℃としているが、重畳シートのシーラント層以外の部分がより確実に溶融又は変形しないようにするという観点からは、一般家庭用のアイロン鏝の「低」の設定温度である８０℃から１２０℃とすることがより好適となる。
【００１３】
本発明に係る包装容器の第２の構成は、前記第１の構成において、前記溶着マークは、アイロンマーク又はアイロンで加熱する部分であることが認識可能な文字、図形若しくはその組み合わせからなるマークを含むことを特徴とする。
【００１４】
「アイロンマーク」（JIS L 0217）は、衣類などの日常製品に広く使用され、大多数の一般の人にその意味を広く知られているため、使用者は溶着マークを見ただけでその溶着の仕方やアイロン鏝の設定温度を一目で認識することが可能となる。また、アイロンマークの代わりに、アイロンで加熱する部分であることが認識可能な文字、図形若しくはその組み合わせからなるマーク（例えば「アイロン（低）」、「この部分をアイロン（低）で加熱」などの文字等）を用いても同様である。
【００１５】
本発明に係る包装容器の第３の構成は、前記第１又は２の構成において、前記溶着マークが表示された前記溶着領域は、前記重畳シート上辺の少なくとも一角部を含む部分領域であり、前記重畳シート上辺の前記溶着領域とは逆側の隅部を突出させて形成された注出部と、前記注出部の側辺側にノッチ状に形成された第１の切込部と、を備え、前記開口部及び前記溶着マークは、前記重畳シート上辺に沿った前記注出部以外の部分領域に設けられていることを特徴とする。
【００１６】
この構成によれば、包装容器に被包装物として未発泡性の飲料用の液体を密封した後、その液体を取り出す場合、注出部の側辺側の第１の切込部から注出部の先端を切断することによって容易に取り出すことが可能となる。また、注出部は、重畳シート上辺の隅部を突出させて形成されているため、上端を切断することにより開口された注出部を口に咥えて、袋を握り、外圧をかけて、内部の圧力を高め、飲料を押し出しながら吸い出すことが容易となる。
【００１７】
本発明に係る包装容器の第４の構成は、前記第３の構成において、前記重畳シート上辺の前記注出部と反対側の隅部を突出させて形状された取手部と、前記重畳シートの前記取手部側の側辺の上部にノッチ状に形成された第２の切込部と、を備えたことを特徴とする。
【００１８】
この構成によれば、包装容器に被包装物として未発泡性の飲料用の液体を密封した後、その液体を一度に取り出したい場合には、取手部を手で摘んで第２の切込部から重畳シート上辺に沿って切断することによって、溶着領域の部分を切除し開封することが可能となる。
【００１９】
本発明に係る包装容器の第５の構成は、前記第１乃至４の何れか一の構成において、前記重畳シートは透明な前記樹脂製シートにより形成されており、前記重畳シートの表面に、容器下部から液体を満たした場合の内容量を示す目盛りが附されていることを特徴とする。
【００２０】
この構成によれば、包装容器に液体を封入する際に、目盛りを見ながら液体を注入することで、使用者が希望する適量の液体を注入して封入することが可能となる。
【発明の効果】
【００２１】
以上のように、本発明によれば、包装容器本体の重畳シートの上辺の少なくとも一角部を含む領域に溶着マークを表示し、重畳シートの溶着マークが表示された領域の内側に、８０℃から２１０℃の加熱により熱溶着可能なシーラント層を備えた構成により、溶着マークが表示された領域を鏝幅の広い家庭用のアイロン鏝によって加熱することで、一般家庭に於いて包装容器を容易に溶着密封することができる。更に、溶着マークを、アイロンマークを含むマークとすることで、使用者は溶着マークを見ただけでその溶着の仕方やアイロン鏝の設定温度を一目で認識することが可能となる。これにより、一般家庭に於いても容易に密封作業を行うことが可能な包装容器を提供することができる。つまり、家庭で市販品と同等の冷蔵飲料、冷蔵食品、冷凍飲料、冷凍食品が作れるようになる。従来の家庭で作る冷蔵飲料、冷蔵食品、冷凍飲料、冷凍食品は、適切な密封容器がない為に、冷蔵なら食器やタッパーに入れてラップするか、飲料なら、ピッチャーや、ペットボトルに詰め替えたり、冷凍なら、同様に食器や、タッパーや、フリージングバック等に入れるのが通常である。これだと、外出時に持って行く時等に、容器の廃棄が不便で、洗って使うリユースも、不便である。そこで、本発明の包装容器を用いて冷蔵飲料、冷蔵食品等を家庭でまとめて作れば、冷蔵食品、冷凍食品の購入コストに比べると低コストでの製造が可能になる。
【図面の簡単な説明】
【００２２】
【図１】本発明の実施例１に係る包装容器１を示す図である。
【図２】図１の包装容器１を手で摘み開口部３を開いた状態を表す図である。
【図３】図１の包装容器１の開口部をアイロンで溶着する状態を表す図である。
【発明を実施するための形態】
【００２３】
以下、本発明を実施するための形態について、図面を参照しながら説明する。
【実施例１】
【００２４】
図１は、本発明の実施例１に係る包装容器を示す図である。図１において、包装容器１の本体は、２枚の透明な樹脂製のシートを重畳し、重畳された重畳シートの周辺を溶着して袋状に形成されている。なお、包装容器１の本体は、１枚の透明な樹脂製のシートを折り曲げて重畳してもよい。重畳シートは、表裏の重畳シートは基本的に３つの層がラミネートされた積層シートであり、外側の２層（外からベースフィルム層、バリア性サンドフィルム層）が保護層、内側の１層がシーラント層となっている。シーラント層はポリプロピレン樹脂シートが使用されており、１１５℃以上の加熱により熱溶着可能である。保護層にはポリエステル樹脂等が使用されている。包装容器１本体の下端部には襠２（ガゼット）が形成され、襠２を広げることにより自立可能とされている。また、包装容器１本体の上端辺の中央部には、未溶着な開口部３が設けられている。この開口部３から包装容器１の嚢内に被包装物を入れることができる。
【００２５】
また、包装容器１本体の重畳シート上辺の開口部３の領域及び重畳シート上辺の一方の角部を含む領域には、溶着領域を示す溶着マーク４（灰色の領域）が表示されている。この溶着マーク４には、JIS L 0217に規定されたアイロンマーク５が含まれている。アイロンマーク５は、アイロンにより溶着マーク４部分を加熱すること、及び加熱温度をアイロンの「低温」（８０℃〜１２０℃）とすることを意味する。ここでは一例として、加熱温度を最も好適な「低温」としているのは、一般家庭での被包装物の調理加熱最高温度１００℃より、シーラント層の溶融温度を１５℃以上高めの１１５℃以上に加熱しなければ溶融しない構成にしているためである。これ以外にも、例えば、被包装物の調理加熱最高温度が１２０℃の時はシーラント層の溶融温度を１５℃以上高めの１３５℃以上に加熱しなければ溶融しない構成として、アイロンマーク５を「中温」（１４０℃〜１６０℃）とすることもできる。また、アイロンマーク５の代わりに、「アイロン（低）」、「この部分を加熱（低温）」などの文字表示などの、アイロンで加熱する部分であること及びアイロンの設定温度が認識可能な文字、図形若しくはその組み合わせからなるマークを使用してもよい。
【００２６】
重畳シート上辺の溶着領域４とは逆側の隅部には、注出部６が突出形成されている。開口部３及び溶着マーク４は、重畳シート上辺に沿った注出部６以外の部分領域に設けられている。注出部６の外側側辺には切込部７がノッチ状に形成され、切込部７に対向する位置の注出部６内側側辺にも切込部８が形成されている。この切込部７と切込部８を結ぶ線に沿って注出部６の上端６ａを切り取ることにより、注出部６先端を開口させ、内容物を取り出すことができる。
【００２７】
重畳シート上辺の注出部６と反対側の隅部には、取手部９が突出形状されている。また、重畳シートの取手部９側の側辺には、溶着マーク４の下方近傍に、切込部１０がノッチ状に形成されている。そして、切込部１０からその反対側側辺に向かって、切り取り方向を示す切取線１１が印刷表示されている。切取線１１の途中には、注ぎ口を形成する場合の切り取りの長さの目安を示す切取長目安マーク１２（「★」印）が印刷表示されている。注ぎ口を形成する場合には、切込部１０から切取長目安マーク１２まで切断すればよい。また、内容物を全部取り出す場合には、切取線１１の全長に亘って切断すればよい。
【００２８】
更に、重畳シートの表面には、容器下部から液体を満たした場合の内容量を示す目盛り１３が附されている。
【００２９】
以上のように構成された本実施例に係る包装容器について、以下その使用方法を説明する。
【００３０】
まず、図２に示したように、包装容器１の表裏の重畳シートを指で摘み開口部３を開いて、開口部３から被包装物Ｓを入れる（図２において、印刷表示は一部省略）。被包装物Ｓは、食品や未発泡性飲料など何でもよい。ここでは、例として被包装物Ｓは未発泡性飲料とする。
【００３１】
次に、図３に示したように、包装容器１の上端付近を適当な台Ｂのエッジ付近の台面上に押し当て、包装容器１の下端側を台Ｂのエッジの下に垂らすようにして置き、溶着マーク４が附された部分に「低温」で加熱したアイロン鏝Ａを押し当てて溶着する。これにより、被包装物Ｓは包装容器１内に密封される。
【００３２】
このように、本実施例の包装容器１は、一般家庭に広く普及しているアイロン鏝Ａを用いて熱溶着が可能となるように、溶着領域を、重畳シート上辺の開口部３の領域及び重畳シート上辺の少なくとも一角部を含む領域となるように設け、開口部３のシーラント層を８０℃から２１０℃の加熱により熱溶着可能な素材とした。更に、一般の需用者が、アイロン鏝Ａを当てる場所が認識できるように、溶着領域に溶着マークを表示した。そして、アイロン鏝Ａの設定温度が一目で分かるように、溶着マークとして、アイロンマークを含むマークとした。これによって、ハンディシーラなどの熱溶着機を保有していない家庭においても、アイロン鏝さえ所持していれば容易に包装容器１の密封作業を行うことができ、また、アイロンマークによって一目でアイロン設定温度を認識できるため、設定温度が低すぎたり高すぎたりすることによる溶着不良を効果的に防止することが可能となる。
【００３３】
なお、本実施例では注出部６が付いた例を示したが、注出部６が必要ない場合には、注出部６を除き、開口部３を重畳シートの上辺の全体に沿って設けてもよい。この場合、溶着マークは、重畳シート上辺の両角部を含む領域に設けられることになる。
【符号の説明】
【００３４】
１  包装容器
２  襠
３  開口部
４  溶着マーク
５  アイロンマーク
６  注出部
６ａ  上端
７，８，１０  切込部
９  取手部
１１  切取線
１２  切取長目安マーク
１３  目盛り
Ａ  アイロン鏝
Ｂ  台
Ｃ  被包装物
【図１】
2014104996.tif 000003
【図２】
2014104996.tif 000004
【図３】
2014104996.tif 000005